(57)【要約】【課題】  本発明は、別部品を用いることなく、シートベルトを容易に取出すのに十分な開口面積を有する開口部を確保し、かつ内装トリムの内部を外部から見え難くし、外観品質の向上およびコストダウンを図ることが可能な内装トリム構造を提供することにある。【解決手段】  本発明は、車体パネルであるクォータインナパネル３の車室内Ｒ側に内装トリム１を取付け、内装トリム１に対して車室外側に位置するクォータインナパネル３にシートベルトガイド６を取付けた内装トリム構造において、内装トリム１に、一般面部１３に対して車室内Ｒ側に膨出する膨出部１４を設け、膨出部１４によってシートベルトガイド６を収納する収納空間Ｓを形成すると共に、シートベルトガイド６の下方位置で、内装トリム１の一般面部１３と膨出部１４とを連結する傾斜面部１５にシートベルトウエビング５を内装トリム１の車室内Ｒ側に取出す開口部９を設けている。【選択図】        図３
2006264576.tif 000002
【特許請求の範囲】
【請求項１】
車体パネルの車室内側に内装トリムを取付け、該内装トリムに対して車室外側に位置する前記車体パネルにシートベルトガイドを取付けた内装トリム構造において、前記内装トリムに、一般面に対して車室内側に膨出する膨出部を設け、該膨出部によって前記シートベルトガイドを収納する収納空間を形成すると共に、前記シートベルトガイドの下方位置で、前記内装トリムの一般面と前記膨出部とを連結する傾斜面部にシートベルトを前記内装トリムの車室内側に取出す開口部を設けたことを特徴とする内装トリム構造。
【請求項２】
車体パネルの車室内側に内装トリムを取付け、該内装トリムに対して車室外側に位置する前記車体パネルにシートベルトガイドを取付けた内装トリム構造において、前記内装トリムの前記シートベルトガイドと対応する位置に、一般面に対して車室内側に膨出する膨出部を設け、該膨出部によって前記シートベルトガイドおよび衝撃吸収部材を収納する収納空間を形成すると共に、前記シートベルトガイドの下方位置で、前記内装トリムの一般面と前記膨出部とを連結する傾斜面部にシートベルトを前記内装トリムの車室内側に取出す開口部を設けたことを特徴とする内装トリム構造。
【請求項３】
前記開口部の下側縁部には、前記車体パネル側へ向かって斜め上方に延びる延出部が設けられていることを特徴とする請求項１または２に記載の内装トリム構造。
【請求項４】
前記傾斜面部は、前記シートベルトの引き出し方向に対して略垂直面となる角度で形成されていることを特徴とする請求項１〜３のいずれかに記載の内装トリム構造。
【発明の詳細な説明】
【技術分野】
【０００１】
本発明は、自動車のシートベルトガイド（シートベルトサッシュガイド）を内部に配置する内装トリム構造に関するものである。
【背景技術】
【０００２】
一般に、自動車の前部席および後部席には、乗員を座席に拘束するために、図５および図７に示すようなシートベルト装置が装備されている。このシートベルト装置は、車体パネル側に設けられた図示しないリトラクタからシートベルトガイドを経由してシートベルトウエビング５１を引き出し、アンカーブラケット５２およびベルトタング５３を座席側の固定具（図示せず）にそれぞれ装着することによって使用されている（例えば、特許文献１参照）。
このようなシートベルト装置では、図示しないシートベルトガイドが内装トリム５４の内部に配置されている。そのため、内装トリム５４を組み付けるためには、図５中の矢印に示す如く、アンカーブラケット５２およびベルトタング５３を内装トリム５４の挿通穴５５より車室内側に向かって取出す必要がある。
【特許文献１】特開２００３−３４１４７１号公報
【発明の開示】
【発明が解決しようとする課題】
【０００３】
しかしながら、上述した従来の内装トリム構造では、アンカーブラケット５２およびベルトタング５３の厚さおよび外形寸法がシートベルトウエビング５１に比べて大きく形成され、挿通穴５５が内装トリム５４の一般面に設けられているので、アンカーブラケット５２およびベルトタング５３を挿通させるのに必要な挿通穴５５の寸法Ｌ（図６参照）が側面視で大きくなり、内装トリム５４の内部が外部から見え易いという問題があった。
一方、図７および図８に示す如く、アンカーブラケット５２およびベルトタング５３を容易に挿通させると共に、挿通後において内装トリム５４の挿通穴５６の開口面積を小さくするために、シートベルトウエビング５１にガーニッシュ５７を部組し、ガーニッシュ５７を挿通穴５６に取付ける方法が提案されている。しかし、このような別部品のガーニッシュ５７を用いると、部品点数のみならず組付工数も余計に掛かってしまうので、コスト高を招くおそれがあった。
【０００４】
本発明はこのような実状に鑑みてなされたものであって、その目的は、別部品を用いることなく、シートベルトを容易に取出すのに十分な開口面積を有する開口部を確保し、かつ内装トリムの内部を外部から見え難くし、外観品質の向上およびコストダウンを図ることが可能な内装トリム構造を提供することにある。
【課題を解決するための手段】
【０００５】
上記従来技術の有する課題を解決するために、本発明は、車体パネルの車室内側に内装トリムを取付け、該内装トリムに対して車室外側に位置する前記車体パネルにシートベルトガイドを取付けた内装トリム構造において、前記内装トリムに、一般面に対して車室内側に膨出する膨出部を設け、該膨出部によって前記シートベルトガイドを収納する収納空間を形成すると共に、前記シートベルトガイドの下方位置で、前記内装トリムの一般面と前記膨出部とを連結する傾斜面部にシートベルトを前記内装トリムの車室内側に取出す開口部を設けている。
【０００６】
また、本発明は、車体パネルの車室内側に内装トリムを取付け、該内装トリムに対して車室外側に位置する前記車体パネルにシートベルトガイドを取付けた内装トリム構造において、前記内装トリムの前記シートベルトガイドと対応する位置に、一般面に対して車室内側に膨出する膨出部を設け、該膨出部によって前記シートベルトガイドおよび衝撃吸収部材を収納する収納空間を形成すると共に、前記シートベルトガイドの下方位置で、前記内装トリムの一般面と前記膨出部とを連結する傾斜面部にシートベルトを前記内装トリムの車室内側に取出す開口部を設けている。
【０００７】
しかも、本発明において、前記開口部の下側縁部には、前記車体パネル側へ向かって斜め上方に延びる延出部が設けられている。
【０００８】
また、本発明において、前記傾斜面部は、前記シートベルトの引き出し方向に対して略垂直面となる角度で形成されている。
【発明の効果】
【０００９】
上述の如く、本発明に係る内装トリム構造は、車体パネルの車室内側に内装トリムを取付け、該内装トリムに対して車室外側に位置する前記車体パネルにシートベルトガイドを取付けたものであって、前記内装トリムに、一般面に対して車室内側に膨出する膨出部を設け、該膨出部によって前記シートベルトガイドを収納する収納空間を形成すると共に、前記シートベルトガイドの下方位置で、前記内装トリムの一般面と前記膨出部とを連結する傾斜面部にシートベルトを前記内装トリムの車室内側に取出す開口部を設けているので、別部品を用いることなく、シートベルトを容易に取出すのに十分な開口面積を有する開口部を確保できると共に、ガーニッシュなどの廃止によってコストダウンを図ることができる。しかも、本発明の内装トリム構造では、開口部が下向きの傾斜面に配設されているので、内装トリムの内部が外部から見え難くなり、外観品質を向上させることができる。それに加えて、本発明の内装トリム構造では、車室内側に膨出する膨出部が必要な部分のみに設けられているので、室内空間を有効に利用することができる。
【００１０】
また、本発明に係る内装トリム構造は、車体パネルの車室内側に内装トリムを取付け、該内装トリムに対して車室外側に位置する前記車体パネルにシートベルトガイドを取付けたものであって、前記内装トリムの前記シートベルトガイドと対応する位置に、一般面に対して車室内側に膨出する膨出部を設け、該膨出部によって前記シートベルトガイドおよび衝撃吸収部材を収納する収納空間を形成すると共に、前記シートベルトガイドの下方位置で、前記内装トリムの一般面と前記膨出部とを連結する傾斜面部にシートベルトを前記内装トリムの車室内側に取出す開口部を設けているので、シートベルトガイドに対応した位置に衝撃吸収部材を配置することが可能となり、上記発明と同様の効果を得ることができる上、衝撃吸収部材の存在によって内装トリムへ衝突する部材の衝撃エネルギーを効果的に吸収することができる。
【００１１】
さらに、本発明において、前記開口部の下側縁部には、前記車体パネル側へ向かって斜め上方に延びる延出部が設けられているので、シートベルトが延出部によってガイドされることになり、シートベルトを車室内側へ円滑に引き出すことができる。また、延出部の存在によって特別な開口縁の部品を取付ける必要が無くなる上、開口部から内装トリムの内部がより一層見え難くなる。しかも、延出部は開口部に対応した位置となるので、型による成形が容易である。
【００１２】
そして、本発明において、前記傾斜面部は、前記シートベルトの引き出し方向に対して略垂直面となる角度で形成されているので、シートベルトを車室内側へ円滑かつ迅速に引き出すことができる。
【発明を実施するための最良の形態】
【００１３】
以下、本発明を図示の実施の形態に基づいて詳細に説明する。
【００１４】
図１〜図３は本発明に係る内装トリム構造の第１実施形態を示している。本実施形態の内装トリム構造が適用される自動車の内装トリム１は、図１〜図３に示す如く、クォータウインド２の周囲の車体パネルであるクォータインナパネル３の車室内Ｒ側を覆うため、クリップ等により組付けられる合成樹脂製のクォータウインドトリムである。この内装トリム１の内部には、後部席の外側席用に採用された３点式シートベルト装置４のリトラクタ（図示せず）が配設されており、このリトラクタから引き出されたシートベルトウエビング５は、シートベルトガイド６を経由して、当該ウエビングの先端部側に取付けたアンカーブラケット７およびベルトタング８と共に内装トリム１の開口部９より車室内Ｒ側に取出されている。そして、車室内Ｒ側に取出されたシートベルトウエビング５は、図示しない座席側の固定具にアンカーブラケット７およびベルトタング８をそれぞれ装着することによって使用されるようになっている。このため、開口部９の開口面積は、シートベルトウエビング５、アンカーブラケット７およびベルトタング８を容易に取出すことが可能な大きさと形状（円弧状）に形成されている。
【００１５】
このようなシートベルト装置４のシートベルトガイド６は、内装トリム１の内部に配置されている。すなわち、シートベルトガイド６の上部は、図３に示す如く、締付けボルト１０およびナット１１を用い、内装トリム１に対して車室外側に位置するクォータインナパネル３の車室内Ｒ側の側面に、スペーサ１２を介して当該クォータインナパネル３から離間させた状態で取付けられている。したがって、図外のリトラクタから上方へ引き出されたシートベルトウエビング５は、クォータインナパネル３側よりシートベルトガイド６の下部を通って内装トリム１側に向かって斜め下方へ引き回され、車室内Ｒ側に導かれるようになっている。
【００１６】
これに伴い、内装トリム１には、図２および図３に示す如く、トリム意匠面となる一般面部１３に対して車室内Ｒ側に膨出する膨出部１４が設けられており、該膨出部１４は、一般面部１３よりも車室内Ｒ側に高くなっている。そのため、内装トリム１の内部には、膨出部１４によってシートベルトガイド６や締付けボルト１０などを収納する収納空間Ｓが形成されている。また、シートベルトガイド６の下方位置で、内装トリム１の一般面部１３と膨出部１４とを連結する段差箇所には、下方へ向かってクォータインナパネル３側に傾斜する傾斜面部１５が形成されており、該傾斜面部１５には、上記した開口部９が設けられている。しかも、傾斜面部１５は、シートベルトウエビング５の引き出し方向に対して略垂直面となる角度で形成されており、内装トリム１の成形型抜き方向を図３の矢印Ｂ方向に傾けることにより、開口部９が車室内Ｒ側で下向きに臨む位置に設けられ、開口部９自体が目立たなくなる上、開口部９から内装トリム１の内部が見え難いようになっている。
【００１７】
また、内装トリム１の開口部９の下側縁部であって、該開口部９の内装トリム１の一般面部１３側の縁部には、図３に示す如く、クォータインナパネル３側へ向かって斜め上方に延びる延出部１６が設けられている。この延出部１６は、傾斜面部１５に対して略直交する方向で開口部９の裏側に延長されていることから、シートベルトウエビング５のガイドとなり、シートベルトウエビング５を抵抗感なく円滑に引き出せる機能を有すると共に、開口部９から内装トリム１の内部が見えるのを防止し、特別な開口縁の部品を取付ける必要性を無くす機能を有している。しかも、延出部１６は、開口部９に対応した位置に設けられ、成形型によって容易に形成することが可能である。
【００１８】
このように、本発明の第１実施形態に係る内装トリム構造では、内装トリム１に対して車室外側に位置するクォータインナパネル３にシートベルトガイド６が締付けボルト１０などを用いて取付けられていても、内装トリム１には、一般面部１３よりも車室内Ｒ側に膨出する膨出部１４が設けられ、膨出部１４によって収納空間Ｓが形成され、かつシートベルトガイド６の下方位置で、内装トリム１の一般面部１３と膨出部１４とを連結する傾斜面部１５にシートベルトウエビング５を内装トリム１の車室内Ｒ側に取出す開口部９が設けられているため、シートベルトガイド６などを収納空間Ｓに確実に収納できると共に、内装トリム１の内部が外部から見え難い構造で、シートベルトウエビング５を車室内Ｒ側に容易に取出すことができる。しかも、ガーニッシュなどの別部品を用いる必要も無くなるため、部品点数の削減によってコストを低減させることができる。
【００１９】
図４は本発明に係る内装トリム構造の第２実施形態を示している。この第２実施形態においては、上記第１実施形態の内装トリム構造の構成に付加されて、衝撃吸収部材１７が設けられている。
すなわち、第２実施形態の内装トリム構造では、図４に示す如く、内装トリム１のシートベルトガイド６と対応する位置において、一般面部１３に対して車室内Ｒ側に膨出する膨出部１４が設けられ、この膨出部１４によってシートベルトガイド６および衝撃吸収部材１７を収納する収納空間Ｓが形成されている。衝撃吸収部材１７は、車両前方から見て台形形状に形成され、側面シートベルトガイド６の締付けボルト１０と対向する位置で、膨出部１４の裏側壁面に突設されており、内装トリム１と締付けボルト１０との間に配設されている。その他の構成は、上記第１実施形態と同様である。
【００２０】
したがって、本発明の第２実施形態の内装トリム構造によれば、内装トリム１の膨出部１４に車室内Ｒ側から車室外側へ向かって衝撃荷重が加わった場合、衝撃吸収部材１７が変形することによって衝撃エネルギーを吸収でき、内装トリム１を衝撃吸収構造として利用することができる。その他の作用効果は、上記第１実施形態と同様である。
【００２１】
以上、本発明の実施の形態につき述べたが、本発明は既述の実施の形態に限定されるものではなく、本発明の技術的思想に基づいて各種の変形および変更が可能である。
【図面の簡単な説明】
【００２２】
【図１】本発明の第１実施形態に係る構造が適用される内装トリムとシートベルトを示す概略図である。
【図２】図１におけるシートベルトを取出す開口部付近の内装トリムを示す斜視図である。
【図３】図２におけるＡ−Ａ線断面図である。
【図４】本発明の第２実施形態に係る内装トリム構造を示すものであり、図２におけるＡ−Ａ線断面図である。
【図５】従来の内装トリム構造において、シートベルトを内装トリムの挿通穴より取出す状態を示す斜視図である。
【図６】図５における内装トリムの挿通穴付近を示す断面図である。
【図７】他の従来の内装トリム構造において、シートベルトを内装トリムの挿通穴より取出す状態を示す斜視図である。
【図８】図７のシートベルトに部組したガーニッシュを内装トリムの挿通穴に取付けた状態を示す断面図である。
【符号の説明】
【００２３】
１  内装トリム
３  クォータインナパネル（車体パネル）
４  シートベルト装置
５  シートベルトウエビング
６  シートベルトガイド
７  アンカーブラケット
８  ベルトタング
９  開口部
１０  締付けボルト
１１  ナット
１２  スペーサ
１３  一般面部
１４  膨出部
１５  傾斜面部
１６  延出部
１７  衝撃吸収部材
Ｒ  車室内
Ｓ  収納空間
【図１】
2006264576.tif 000003
【図２】
2006264576.tif 000004
【図３】
2006264576.tif 000005
【図４】
2006264576.tif 000006
【図５】
2006264576.tif 000007
【図６】
2006264576.tif 000008
【図７】
2006264576.tif 000009
【図８】
2006264576.tif 000010